(57)【要約】【課題】蓄光材料の発光を有効に用い、夜間に避難情報を読み取れるように照らして視認可能とした避難地図看板を提供する。【解決手段】避難地図看板１は、光透過性の板状体２と、板状体の裏面に設けられて避難地図を含む避難情報１０を表す印刷層３と、印刷層の裏面に設けられた蓄光材料を含む光照射層４を備える。昼間に光照射層の蓄光材料に貯えられたエネルギーが夜間に光として放出され、印刷層の避難情報が蓄光材からの光で暗所でも視認可能に浮かび上がり、看者は確実に避難情報を視認でき、安全な避難に役立てることができる。【選択図】図１
2009157201.tif 000002
【特許請求の範囲】
【請求項１】
光透過性の板状体と、前記板状体の裏面に設けられて避難地図を含む避難情報を表す印刷層と、前記印刷層の裏面に設けられた蓄光材料を含む光照射層とを備え、明環境において前記光照射層の前記蓄光材料に貯えられたエネルギーが暗環境において光として放出されることにより、前記印刷層の前記避難情報が照明されて前記板状体の表面側にて視認されることを特徴とする避難地図看板。
【請求項２】
前記光照射層が、前記印刷層が表す前記避難情報の中の特定の避難情報に相当する前記印刷層の裏面側のみに設けられ、暗環境において特定の避難情報のみが照明されて前記板状体の表面側にて視認されることを特徴とする請求項１記載の避難地図看板。
【請求項３】
光透過性の板状体と、避難地図を含む避難情報を蓄光材料を含むインクによって前記板状体の裏面に印刷してなる印刷層とを備え、明環境において前記印刷層の前記蓄光材料に貯えられたエネルギーが暗環境において光として放出されることにより、前記印刷層の前記避難情報が照明されて前記板状体の表面側にて視認されることを特徴とする避難地図看板。
【請求項４】
蓄光材料を含む光透過性の板状体と、前記板状体の裏面に設けられて避難地図を含む避難情報を表す印刷層とを備え、明環境において前記板状体の前記蓄光材料に貯えられたエネルギーが暗環境において光として放出されることにより、前記印刷層の前記避難情報が照明されて前記板状体の表面側にて視認されることを特徴とする避難地図看板。
【請求項５】
前記避難地図看板の裏面に反射層を設け、前記蓄光材料から前記避難地図看板の裏面に向けて照射された光を前記避難地図看板の表面に向けて反射するように構成したことを特徴とする請求項１乃至４のいずれか一つに記載の避難地図看板。
【発明の詳細な説明】
【技術分野】
【０００１】
本発明は、現在位置、災害発生時の避難場所、避難ルート、その他の防災情報等を地図上等に表し、屋外・屋内の適当な壁面等の掲示面に掲示して防災時の避難に役立てるための避難地図看板に係り、特に夜間等の暗環境においても電力無しで避難のための必要情報を的確に表示することができる安全で耐久性に優れた避難地図看板に関するものである。
【背景技術】
【０００２】
避難地図看板は、適当な大きさの樹脂板に、当該看板を見ている人の現在位置（すなわち当該看板の掲示位置乃至住居表示）・当該位置について指定されている災害発生時の避難場所、当該位置から避難場所までの避難ルート、その他の防災情報等を地図又は文字により示し、屋外・屋内の適当な掲示面に掲示して避難者の避難誘導の用に供されるものであるが、近年における防災意識の高まりとともに都市部等において特に広範な普及を見るようになっている。
【０００３】
災害時に避難者に対して防災情報等を視覚的に提供するという避難地図看板の目的からみて、昼夜を問わず発生しうる災害に対応するためには、前記避難地図看板は夜間や暗所でも容易に視認しうるものであることが望ましい。しかしながら、従来の避難地図看板は板体に地図等を印刷しただけのものであり、夜間や暗所では視認することが困難な場合があった。
【０００４】
そこで、本願発明者は、電源たる太陽電池及び蓄電池とこれに接続した照明手段とを避難地図看板に付設した照明式避難地図看板を案出した。この照明式避難地図看板によれば、昼光によって看板を視認できる昼間は太陽発電で蓄電池に電力を貯え、看板を見ることが困難となる夜間は蓄電池で照明手段を発光させて看板の地図を照らし、避難情報を容易に視認できるようにすることができる。
【０００５】
しかしながら、このような構造では、看板の地図を照らすために太陽電池、蓄電池及び照明手段といった多くの設備が必要になるため、町中に多数設置する必要のある避難地図看板としてはコストがかかり過ぎて実用性に乏しいという問題があるとともに、太陽電池を用いるために設置場所の制限を受けるという問題もあった。
【０００６】
電気を使用せずにある程度の明るさを得る手段としては、蛍光塗料が知られているが、蛍光塗料の中には例えばシアン系化合物等のように環境負荷が大きい物質が含まれている場合があり、そのような物質については法律や都道府県の条例で規制されている場合があるので安易に採用することはできない。
【０００７】
これに対し、蛍光塗料に替わる安全性の高い発光材料としては蓄光材料が知られており、下記特許文献１乃至３に開示されているように種々の形態・目的で種々の組成の蓄光材料等が提案されているが、特に屋外に設置されることが多い避難地図看板に用いた場合には耐候性が問題になると考えられるとともに、避難情報を照らして誤りない情報伝達を非常時に的確に行なうにはいかなる構造にするかが現実には大きな問題となる。
【特許文献１】特開２００１−３１８９４号公報
【特許文献２】特開２００１−１１３６４３号公報
【特許文献３】特開２００２−３６３４９９号公報
【発明の開示】
【発明が解決しようとする課題】
【０００８】
本願発明は、上述した背景技術及びこれを前提とした本願発明者の問題認識に鑑みてなされたものであり、環境負荷が少なく安全性が高いが、照明装置に比べて必ずしも十分な照度が得られるとはいえない蓄光材料の発光を有効に用い、避難情報を読み取れるように照らして視認可能としうる構造を備えた避難看板地図を提供することにより、特に夜間・暗所における災害時の避難誘導を安全確実なものとし、ますます強まる国民の防災意識に応えることを目的としている。
【課題を解決するための手段】
【０００９】
請求項１に記載された避難地図看板は、光透過性の板状体と、前記板状体の裏面に設けられて避難地図を含む避難情報を表す印刷層と、前記印刷層の裏面に設けられた蓄光材料を含む光照射層とを備え、明環境（昼間の屋外や照明されている屋内等の環境）において前記光照射層の前記蓄光材料に貯えられたエネルギーが暗環境（陽光や照明が実質的にない環境）において光として放出されることにより、前記印刷層の前記避難情報が照明されて前記板状体の表面側にて視認されることを特徴としている。
【００１０】
請求項２に記載された避難地図看板は、請求項１記載の避難地図看板において、前記光照射層が、前記印刷層が表す前記避難情報の中の特定の避難情報に相当する前記印刷層の裏面側のみに設けられ、暗環境において特定の避難情報のみが照明されて前記板状体の表面側にて視認されることを特徴としている。
【００１１】
請求項３に記載された避難地図看板は、光透過性の板状体と、避難地図を含む避難情報を蓄光材料を含むインクによって前記板状体の裏面に印刷してなる印刷層とを備え、明環境において前記印刷層の前記蓄光材料に貯えられたエネルギーが暗環境において光として放出されることにより、前記印刷層の前記避難情報が照明されて前記板状体の表面側にて視認されることを特徴としている。
【００１２】
請求項４に記載された避難地図看板は、蓄光材料を含む光透過性の板状体と、前記板状体の裏面に設けられて避難地図を含む避難情報を表す印刷層とを備え、明環境において前記板状体の前記蓄光材料に貯えられたエネルギーが暗環境において光として放出されることにより、前記印刷層の前記避難情報が照明されて前記板状体の表面側にて視認されることを特徴としている。
【００１３】
請求項５に記載された避難地図看板は、請求項１乃至４のいずれか一つに記載の避難地図看板において、前記避難地図看板の裏面に反射層を設け、前記蓄光材料から前記避難地図看板の裏面に向けて照射された光を前記避難地図看板の表面に向けて反射するように構成したことを特徴としている。
【発明の効果】
【００１４】
請求項１に記載された避難地図看板によれば、明環境で光照射層の蓄光材料に貯えられたエネルギーが、暗環境において光として放出され、印刷層の裏側から板状体の前方に照射されるので、印刷層に形成されている避難情報が裏側からの光によって暗所でも視認可能に浮かび上がり、看者は確実に避難情報を視認でき、安全な避難に役立てることができる。
【００１５】
請求項２に記載された避難地図看板によれば、請求項１記載の避難地図看板における効果において、特に、印刷層に表されている避難情報の中、特に重要な避難地や現在地等を示す特定の避難情報に相当する印刷部分のみが選択的に照明され、板状体の表面側にて視認可能となるので、暗所での緊急時にもかかわらず、看者は最も重要な避難情報を確実に視認でき、安全な避難に役立てることができる。
【００１６】
請求項３に記載された避難地図看板によれば、明環境で印刷層の蓄光材料に貯えられたエネルギーが、暗環境において光として放出され、印刷層の避難情報がこの光によって暗所で浮かび上がり、板状体の前面側で視認可能となるので、看者は確実に避難情報を視認でき、安全な避難に役立てることができる。
【００１７】
請求項４に記載された避難地図看板によれば、明環境において板状体の蓄光材料に貯えられたエネルギーが暗環境において光として放出され、その背面側（後方）にある印刷層の避難情報を照らし出すため、当該避難情報が板状体の前面側で視認可能となるので、看者は確実にこれを視認して安全な避難に役立てることができる。
【００１８】
請求項５に記載された避難地図看板によれば、請求項１乃至４のいずれか一つに記載の避難地図看板における効果において、蓄光材料から避難地図看板の裏面に向けて照射された光は、裏面の反射層で反射して避難地図看板の表面に向けて照射されるので、蓄光材料からの光の利用効率が高くなり、暗所における避難情報の視認性が一層高まる。
【発明を実施するための最良の形態】
【００１９】
以下、本発明の実施の形態（本例）を図面を参照して具体的に説明する。
図１は第１実施形態（第１例）に係る避難地図看板の断面図、図２は第１例に係る避難地図看板の正面図、図３は第１例に係る避難地図看板の変形例の正面図である。
図４は第２実施形態（第２例）に係る避難地図看板の断面図、図５は第２例に係る避難地図看板の正面図である。
図６は第３実施形態（第３例）に係る避難地図看板の断面図、図７は第４実施形態（第４例）に係る避難地図看板の断面図である。
図８は第５実施形態（第５例）に係る避難地図看板の断面図である。
【００２０】
以下の各実施形態で説明する本発明の避難地図看板は、適当な大きさの基板である樹脂等の板状体に、当該看板を見ている人の現在位置（すなわち当該看板の掲示位置乃至住居表示）・当該位置について指定されている災害発生時の避難場所、当該位置から避難場所までの避難ルート、その他の防災情報等を地図等による図形表示又は文字表示により表し、屋外・屋内の適当な掲示面に掲示して避難者を安全地帯に誘導するための標となるものである。
【００２１】
（１）第１実施形態（図１〜図３）
図１に示すように、第１例の避難地図看板１は、光透過性の板状体２を基体としている。本例の板状体２は、透明なアクリル板や塩化ビニール板等の樹脂製の板材からなり、その外形は縦長の矩形であり、また、その寸法は任意であるが視認しやすさや町中の壁や家屋の外壁面等に掲示する都合上、一例として縦９１０ｍｍ程度、横６００ｍｍ程度とすることができる。厚さについては、後述するように光を背面側から透過させて背面側の印刷を視認できるようにする必要性と、壁に掲示する際の重さによる制限から、アクリル製である場合の一例として、看板としての強度を確保しうる厚さを下限としつつ、１．５ｍｍ程度より薄くすることが好ましい。
【００２２】
図１に示すように、前記板状体２の裏面には印刷層３が設けられている。印刷層３は、避難地図を含む避難情報等の各種情報が表示されている層であり、インクジェットプリンターで印刷されたものである。印刷層３を印刷する際に用いたインクは、ある程度の透光性があり、適当な厚さで印刷した場合には透過光による観察が可能な性質を有している。また、板状体２の裏側に印刷して透過光で表側から観察することから、文字は鏡文字として印刷され、また図形も同様に左右反転したパターンで印刷される。
【００２３】
図２に示すように、本例における印刷層３の表示内容は、避難情報１０と、看板設置費用等を負担する協賛企業等の広告１１である（広告の具体的内容は図示を省略する）。本例において、避難情報１０には次の項目が含まれる。
タイトル１２は、特定地域の避難場所を示す地図であることを明記した表題である。
地図１３は、当該区域の地図であり、地図１３内には通常の街区・住居表示・道路・河川等の通常の表示の他、避難場所のマーク、色分けされた広域避難場所等が表示されている。
地図外の説明１４は、地図１３中の記号・色分けされた避難場所・番号等で示された避難所等を説明する一覧表乃至凡例が表示される。
住居表示１５は、当該避難地図看板１が設置されている場所の住居表示である。
【００２４】
ＱＲコード等の識別子１６は、住居表示１５に隣接して設けられ、当該位置に特に関連する防災・災害情報又はその他の防災・災害に関する情報を得るために携帯サイト等にアクセスする場合に必要な識別子である。すなわち、避難者が、携帯電話のカメラでこのＱＲコードを読み込み、情報を提供しているサイトのＵＲＬを取得し、インターネット経由で当該サイトにアクセスすれば有益な防災・災害情報を得ることができる。このようにインターネットを介して取得できる防災・災害情報としては、例えば当該住居表示に最も近い炊き出し場所や飲料水・食料等の配給場所、当該住居表示に関係する尋ね人情報、災害についての詳細な情報、鉄道・道路情報等が考えられる。なお、識別子としてはＱＲコードではなく通常のバーコードでもよい。
【００２５】
また、本例では避難者がＱＲコードを読み取ることによって情報提供サイトにアクセスするものとしたが、例えば通信機能を有するマイクロチップを設けておき、看板に接近した避難者の携帯電話とインターネットのアクセスポイントを無線で接続し、前述した情報を、避難者の携帯電話にインターネットと無線を介して提供するようなシステムを構築しておいてもよい。
【００２６】
避難場所表示１７は、住居表示１５に隣接して設けられた避難方向矢印１７ａ（図示の例では左向きの白抜き矢印）と、その地域における一時避難場所の番号１７ｂ（図示の例では丸付き数字の１）とによって構成される。避難者は、一時避難場所の番号１７ｂを見て地図１３の表示と照合することにより、現在地から当該地域の一時避難場所への避難ルートを認識できる。また、避難者は、指定された避難場所に行く為に実際に向かう方向（本例では右方向）を、避難方向矢印１７ａによって知ることができる。つまり、現在位置と当該地域の一時避難場所を地図上で認識しても、災害発生時のような緊迫した状況下では、実際にどちらの方向に行けばよいか、とっさには判断できない場合も考えられる。しかし、この避難方向矢印１７ａを見れば、指定された一時避難場所に避難するために向かわなければならない方向が一目で分かるので、一時避難場所の番号１７ｂで当該地域の一時避難場所を知った後に、直ちに避難行動に移ることができる。また、日常的に避難地図看板１を目にしている地域住民は、常日頃から、この避難地図看板１の住居表示における一時避難場所と、そこへ避難する際の避難経路及び実際に向かうべき方向を覚えていることが期待できるので、緊急時の避難はさらに円滑になる。
【００２７】
図２では、住居表示１５と、識別子１６と、避難場所表示１７を避難地図看板１の下部に一段横書きで収めたので、避難方向矢印１７ａの表示サイズがやや制限を受けたが、避難者に一目で避難方向を理解させるという目的から考えて、避難方向矢印１７ａはさらに大きく目立つように表示することが好ましい。例えば、図３に示すように、住居表示１５と識別子１６を避難地図看板１の下部に一段横書きで示し、その下に、避難方向矢印１７ａと一時避難場所の番号１７ｂを一段横書きで示してもよい。このような構成であれば、避難方向矢印１７ａは看板の幅の半分以上の長さとなり、非常に目につき易く、避難時に避難者に対して避難方向を強く指示することができる。また、地域住民に対する避難方向についての常日頃の印象も強まる。
【００２８】
図１に示すように、板状体２の全面にわたり、前記印刷層３の裏面の全体を覆って光照射層４が設けられている。本例の光照射層４は蓄光材料を主要成分として含んでおり、蓄光材料と接着材料を分散媒に分散させてなる塗布液を印刷層３の裏面に塗布・乾燥して固化することにより形成してもよいし、別途板状に加工した蓄光材料を含む板体を印刷層３の裏面に接着剤等で密着して取り付けてもよい。
【００２９】
蓄光材料としては、硫化亜鉛を主要成分とするもの、又はアルミン酸ストロンチウムを用いた顔料等を主要成分とするもの等、各種の蓄光材料を使用することができ、材質の選択によって発光色を選択してもよい。例えば、前述したアルミン酸ストロンチウムを用いた蓄光材料は高い輝度性能を有し、耐候性にも優れている。例えば、太陽光２００００Ｌｕｘを５分間照射した後の残光輝度は１２時間後で３ｍｃｄ／ｍ2 以上ある。従って、昼間に蓄光材料に貯えられた光のエネルギーが夜間に光として放出され、前面側の印刷層３を明るく照射するので、夜間においても前述した印刷層３に表示されている避難場所等を明示することができる。
【００３０】
なお、上に例示したような金属化合物からなる蓄光材料を分散媒に分散させた塗布液は、蓄光材料と分散媒の比重が違い過ぎると蓄光材料が沈殿して容易に分離してしまう。従って、塗布液を製造する場合には、材料の分離を可及的に防止するために、分散媒は比重がなるべく蓄光材料に近いものを選択することが好ましい。
【００３１】
なお、蓄光材料又は蓄光材料を含む塗布液を印刷層３の裏面に塗布・乾燥・固化して光照射層４を形成する方法を採用した場合、塗布・乾燥・固化の工程を所望回数繰り返すことにより、得られる光照射層４の厚さを変化させることができる。この手法によって、光照射層４の全体の厚さを調整して得られる光量を調整してもよいし、印刷層３のある特定の部分について光照射層４の厚さを変えて、印刷層３中の当該特定部分の光量を他と異なるようにすることもできる。例えば、避難情報１０として避難場所表示１７（避難方向矢印１７ａと、地域における一時避難場所の番号１７ｂ）が特に重要である場合には、これらの表示と、地図１３上の一時避難場所の位置とに相当する光照射層４の部分だけを厚くし、避難場所表示１７及び地図１３中の避難場所の表示位置を照らす光量を大きくしてこれらが一層目立つようにしてもよい。
【００３２】
前記避難地図看板１の裏面側には、前記光照射層４の全面を覆って反射層５が設けられている。反射層５は、光照射層４から避難地図看板１の裏面側に向けて照射された光を、避難地図看板１の表面に向けて反射することにより、蓄光材料から放出される光エネルギーを暗所での表示視認のために無駄なく効率的に利用するための部材である。
【００３３】
従って、反射層５は光を効率よく反射する機能を有していれば特に材料、材質、製法等は問わないが、例えば白色の塗料を光照射層４の裏面に印刷した白色層でもよいし、適宜の白色板を光照射層４の裏面に接着してもよい。又は、アルミニウムその他の金属の蒸着層で構成してもよいし、光反射面を有する板材、フィルム体等を別途構成し、これを光照射層４の裏面に接着剤等によって密着させて取り付けてもよい。
【００３４】
以上の構成によれば、屋外の昼間又は屋内の照明点灯時間中に光照射層４の蓄光材料に貯えられたエネルギーは、屋外の夜間又は照明非点灯で暗くなった屋内において、光として放出される。この光が、印刷層３の裏側から透光性の板状体２の前方に照射されるので、印刷層３に形成されている避難情報１０は裏側からの光によって暗所でも視認可能に浮かび上がり、避難者は確実に避難情報１０を視認でき、安全な避難に役立てることができる。
【００３５】
また、蓄光材料から避難地図看板１の裏面に向けて照射された光は、裏面の反射層５で反射して避難地図看板１の表面に向けて照射されるので、蓄光材料からの光の利用効率は高く、暗所における避難情報１０の視認性は単に蓄光材料を裏面側に設けただけの場合に比べて高くなる。
【００３６】
また、光照射層４の厚さを、印刷層３の表示情報に応じて変化させた場合には、暗所において印刷層３の全体を光照射層４からの光で照らして明示しつつ、情報の重要度その他の条件の差異に応じて印刷層３の各部分を異なる輝度で表示することができるので、表示にメリハリがつき、緊急時における情報伝達の確実性が向上する。
【００３７】
また、光照射層４は反射層５に覆われているので耐候性が高く、屋外に設置した場合にも材質が劣化して蓄光能力が低下するおそれは小さい。また、図１中に想像線で示すように、印刷層３や光照射層４の断面が露出している看板の外周端縁を、ゴムその他の密封部材６で封止して雨水や塵埃等の進入を防ぐようにすれば、光照射層４の耐候性をさらに高めることができるとともに、光照射層４と反射層５が板状体２の周辺から剥がれ始めるのを防止する効果があり、さらに看板自体の強度を補強する効果も得られる。また、単なる板体とは異なり、板状体２の周縁を装飾する効果によって看板としての見栄えがよくなり、高級感が得られる。
【００３８】
また、避難情報１０を表示した印刷層３は、透光性の板状体２の裏側から印刷されており、その上に順次積層された光照射層４と反射層５に覆われているので、耐候性が高く、長期間屋外で使用しても印刷が薄れるおそれはなく、避難地図看板１としての効能は長く持続する。
【００３９】
なお、本例の避難地図看板１には協賛企業等の広告１１が設けられるものとしたが、このスペースは緊急時の伝言板として白地の空欄としておいてもよい。緊急時に、この伝言スペースに何らかの情報を書き込もうとした場合、筆記具（サインペン等）などが手元にないことが多いと考えられるが、本例では付近に落ちている尖った形状のもので傷をつけることにより文字を書くようにすればよい。本例では板状体２の裏側から印刷層３を設けているが、伝言スペースに相当する領域の印刷層を例えば黒等でべた状に印刷し、対応する板状体２の表側の領域を白でべた状に塗装して黒の印刷層３を隠しておいてもよい。この場合は、尖ったもので表側の白色の塗装に傷をつけて文字を書けば、白色の塗装が剥がれた部分から印刷層３の黒色が見えるので、白地に黒色の文字を形成できる。
【００４０】
（２）第２実施形態（図４及び図５）
図４に示す第２例の避難地図看板１は、基本的な構造は第１例と同様であり、第１例と機能上対応する部分には第１例と同一の符号を付し、必要に応じてその説明を省略する。
第１例では、光照射層４は印刷層３の裏面の全面に設け、必要に応じて部分的に厚さを変えて表示時の光量に変化をつけることとしたが、図４に示すように、第２例の光照射層４ａは、印刷層３の裏面の必要部分にのみ設け、その他の部分には設けないこととした。
【００４１】
第２例の印刷層３のパターンは、図２に示した第１例と同一のパターンであり、昼間や照明点灯時には、第１例と同様に図２に示したようなパターンとして観察される。しかしながら、印刷層３の裏面に設けた第２例の光照射層４ａは、印刷層３の多様な内容のパターンのうち、タイトル１２と、地図１３中の主要な街路・鉄道等と、現在位置１８と、多数の避難場所中、現在位置の指定避難場所１９と、住居表示１５と、識別子１６と、避難場所表示１７とに相当する部分にのみ設けられている。これらは、避難情報１０中、特に重要度の高い情報である。地図１３中のその他の細かい表示や、地図１３外の説明１４、広告１１等に相当する位置には、第２例の光照射層４ａは設けられていない。なお、反射層５は看板の裏面側の全面に設けられている。
【００４２】
第２例によれば、昼間や照明点灯時の室内では、第１例と同様に図２に示したようなパターンの全体が細部も含めて観察され、広告１１も見ることができる。しかしながら、夜間や照明非点灯時の室内では、図５に示すように、タイトル１２の下に、主要な街路・鉄道等のみが見える地図１３中に、現在位置１８（星印で示す）と指定避難場所１９（丸付き数字１で示す）を結ぶ避難ルート２０が表示され、さらに文字によって住居表示１５と識別子１６と避難場所表示１７とがあらわれる。すなわち、夜間や暗所における避難時には、広告も含めたあらゆる情報を表示するよりも、避難に端的に役立つ情報のみを表示する方が、避難者がパニックを起こさずに情報を的確に取得して避難行動に役立てる上で有効である場合もあるので、本例では最小限の表示内容として上述した情報のみを蓄光材料の光で視認可能としたものである。
【００４３】
（３）第３実施形態（図６）
図６に示す第３例の避難地図看板１ｂにおいて、第１例と機能上対応する部分には第１例と同一の符号を付し、必要に応じてその説明を省略する。
第１例では、光照射層４を印刷層３の裏面の全面に設けたが、図６に示すように、第３例では、板状体２の裏面に、避難地図１３を含む避難情報１０を蓄光材料を含むインクによって印刷してなる印刷層３ａを設け、さらにその裏面に反射層５を設けた。印刷層３ａは、蓄光材料を分散したインクを用いた他は第１例と同じ手法で形成され、そのパターンも第１例と同様である。
【００４４】
本例によれば、明環境で印刷層３ａの蓄光材料に貯えられたエネルギーが、暗環境で光として放出されることにより、印刷層３ａの避難情報１０が照明されて板状体２の表面側にて視認可能となり、第１例の場合と略同様の効果を挙げることができる。
【００４５】
（４）第４実施形態（図７）
図７に示す第４例の避難地図看板１において、第１例と機能上対応する部分には第１例と同一の符号を付し、必要に応じてその説明を省略する。
第１例では、透光性の板状体２の裏面に、光照射層４と印刷層３を順次重ねて設けたが、図７に示すように、第４例では、蓄光材料を含む透光性の板状体２ａの裏面に、避難地図１３を含む避難情報１０を印刷した印刷層３を設け、さらにその裏面に反射層５を設けた。印刷層３のパターンは第１例と同様である。
【００４６】
本例によれば、明環境で板状体２ａの蓄光材料に貯えられたエネルギーが、暗環境で光として放出され、その背面側（後方）にある印刷層３の避難情報１０を照らし出すため、当該避難情報１０が板状体２ａの前面側で視認可能となるので、避難者は確実にこれを視認して安全な避難に役立てることができる。
【００４７】
（５）第５実施形態（図８）
図８に示す第５例の避難地図看板１ｄにおいて、第１例と機能上対応する部分には第１例と同一の符号を付し、必要に応じてその説明を省略する。
第１例では、平坦な透光性の板状体２の裏面に、光照射層４と印刷層３を順次重ねて設けたが、図８に示すように、第５例では、板状体２ｄの裏面側に、周状の枠部８に囲まれた矩形の凹部９を設け、この凹部９内に印刷層３と光照射層４を順次積層して形成してある。そして、さらに、光照射面４側を反射面とする板状の反射層５を、接着剤等により凹部９の開口に取り付けて塞ぎ、凹部９内の印刷層３と光照射層４を外部に対して密封している。
【００４８】
本例によれば、印刷層３と光照射層４は、板状体２ｄの凹部９内に収納され、板状の反射層５によって凹部９内に密封されているので、印刷層３と光照射層４は外部環境に晒されることがなく、耐候性が高まる。
【００４９】
また、本例の避難地図看板１ｄを屋外で家屋の壁面３０等に取り付ける場合には、板状体２ｄの枠部８に設けた貫通孔にボルト等の固定手段３１（図中鎖線で示す）を通して壁面３０に固定する構造をとるので、ボルト等の固定力は、板状体２ｄの中の肉厚部である枠部８のみに加わり、相対的に薄い内方の板状部分や、該板状部分に形成した印刷層３や光照射層４に加わることがないので、十分な取り付け力を以て壁面３０に固定した場合にも、その取り付け力によって板状体２ｄが割れたり、印刷層３や光照射層４が板状体２ｄから剥離したりする等の不都合が生じることがなく、長期間にわたって高い耐久性が要求される屋外設置の避難地図看板として十分な性能を発揮できる。
【００５０】
以上説明したように、いずれの実施形態においても、夜間や暗所において光照射層４，４ａ及び印刷層３ａ、板状体２ａに含まれる蓄光材料から光を照射し、印刷層３の避難情報１０を明るく明示して避難者に提示できる避難地図看板１，１ａ，１ｂ，１ｃ，１ｄを、有効な避難情報提供媒体として低コストで供給することができるという効果がある。
【図面の簡単な説明】
【００５１】
【図１】図１は第１実施形態（第１例）に係る避難地図看板の断面図である。
【図２】図２は第１例に係る避難地図看板の正面図である。
【図３】図３は第１例に係る避難地図看板の変形例の正面図である。
【図４】図４は第２実施形態（第２例）に係る避難地図看板の断面図である。
【図５】図５は第２例に係る避難地図看板の正面図である。
【図６】図６は第３実施形態（第３例）に係る避難地図看板の断面図である。
【図７】図７は第４実施形態（第４例）に係る避難地図看板の断面図である。
【図８】図８は第５実施形態（第５例）に係る避難地図看板の断面図である。
【符号の説明】
【００５２】
１，１ａ，１ｂ，１ｃ，１ｄ…避難地図看板
２，２ａ，２ｄ…板状体
３，３ａ…印刷層
４，４ａ…光照射層
５…反射層
１０…避難情報
１８…現在位置
１９…指定避難場所
２０…避難ルート
３０…取り付け対象の一例である壁面
【図１】
2009157201.tif 000003
【図４】
2009157201.tif 000004
【図５】
2009157201.tif 000005
【図６】
2009157201.tif 000006
【図７】
2009157201.tif 000007
【図８】
2009157201.tif 000008
【図２】
2009157201.tif 000009
【図３】
2009157201.tif 000010